(57)【要約】【課題】対象端末の経時的な情報に基づいて、有益な情報を提供することができる表示装置を実現する。【解決手段】端末装置（５０）と通信する通信部（１１）と、通信部（１１）を介して端末装置（５０）から取得した端末装置（５０）の位置情報と、テレビ番組の番組情報に含まれる番組に関連する位置とを照合することによって表示情報を生成する表示情報生成部（１３）と、表示情報生成部（１３）が生成した表示情報を表示する表示部（１５）とを備えている。【選択図】図１
2019054453.tif 000002
【特許請求の範囲】
【請求項１】
端末装置と通信する通信部と、
上記通信部を介して上記端末装置から取得した上記端末装置の位置情報と、テレビ番組の番組情報に含まれる番組に関連する位置とを照合することによって表示情報を生成する表示情報生成部と、
上記表示情報生成部が生成した表示情報を表示する表示部と
を備えた
ことを特徴とする表示装置。
【請求項２】
上記表示情報生成部が生成する表示情報には、上記端末装置の位置情報によって特定された番組名が含まれることを特徴とする請求項１に記載の表示装置。
【請求項３】
上記表示情報生成部が生成する表示情報には、上記端末装置のユーザが行ったことがある場所か否かに関する情報が含まれることを特徴とする請求項２に記載の表示装置。
【請求項４】
上記番組情報に含まれる番組に関連する位置は、地名に対応する位置であることを特徴とする請求項１から３の何れか一項に記載の表示装置。
【請求項５】
上記番組情報に含まれる番組に関連する位置は、経度及び緯度に対応する位置であることを特徴とする請求項１から３の何れか一項に記載の表示装置。
【請求項６】
請求項１から請求項５までの何れか１項に記載の表示装置を備えていることを特徴とするテレビジョン受像機。
【請求項７】
請求項１から５の何れか一項に記載の表示装置としてコンピュータを機能させるための制御プログラムであって、上記表示情報生成部としてコンピュータを機能させるための制御プログラム。
【請求項８】
請求項７に記載の制御プログラムを記録したコンピュータ読み取り可能な記録媒体。
【発明の詳細な説明】
【技術分野】
【０００１】
本発明は、表示装置、テレビジョン受像機、制御プログラム、および、記録媒体に関する。
【背景技術】
【０００２】
ユーザが視聴したテレビ番組で紹介された店舗や観光地などを地図上にマッピングすることで、ユーザに情報を提供する、ナビゲーション装置が従来技術として知られている（例えば、特許文献１参照）。
【０００３】
また、携帯端末の位置情報から、ユーザの移動履歴を参照して、ユーザの好みに合ったお店等を紹介する情報システムが知られている。
【先行技術文献】
【特許文献】
【０００４】
【特許文献１】特開２０１１−１５３９６１号公報（２０１１年８月１１日公開）
【発明の概要】
【発明が解決しようとする課題】
【０００５】
ところで、例えばユーザの移動履歴のように、対象端末の経時的な情報を参照することによって、有益な情報を提供する技術に対する要望がある。
【０００６】
本発明の一態様は、上述した事情を鑑みてなされたものであり、対象端末の経時的な情報に基づいて、有益な情報を提供することができる表示装置を実現することを目的とする。
【課題を解決するための手段】
【０００７】
上記の課題を解決するために、本発明の一態様に係る表示装置は、端末装置と通信する通信部と、上記通信部を介して上記端末装置から取得した上記端末装置の位置情報と、テレビ番組の番組情報に含まれる番組に関連する位置とを照合することによって表示情報を生成する表示情報生成部と、上記表示情報生成部が生成した表示情報を表示する表示部とを備えた構成である。
【発明の効果】
【０００８】
本発明の一態様によれば、対象端末の経時的な情報に基づいて、有益な情報を提供することができる。
【図面の簡単な説明】
【０００９】
【図１】実施形態１に係る表示システム１の概略構成を示すブロック図である。
【図２】位置情報テーブルを示す図である。
【図３】表示情報を表示するまでの処理の流れを示したシーケンス図である。
【図４】（ａ）は位置情報を示すイメージ図であり、（ｂ）表示システム１による表示情報の表示例を示す図である。
【図５】（ａ）および（ｂ）は表示システム１による表示情報の表示例を示す図である。
【図６】（ａ）〜（ｅ）は実施形態２の番組に関連する位置情報を示す図である。
【図７】（ａ）および（ｂ）はＥＩＴから得られる位置情報と、形態端末から得られる位置情報とを示す図である。
【図８】実施形態３の表示システム１ａの概略構成を示す図である。
【図９】表示システム１ａによる表示情報の表示例を示す図である。
【図１０】実施形態４に係る表示システム１ｂの概略構成を示すブロック図である。
【図１１】実施形態５に係る表示システム１ｃの概略構成を示すブロック図である。
【図１２】表示情報を表示するまでの処理の流れを示したシーケンス図である。
【図１３】（ａ）は鮮度情報を示すイメージ図であり、（ｂ）は表示システム１ｃによる表示情報の表示例を示す図である。
【発明を実施するための形態】
【００１０】
〔実施形態１〕
本発明の実施形態１に係る表示システム１について図１〜図３に基づいて以下に説明する。図１は、表示システム１の概略構成を示すブロック図である。図２は、表示システム１による表示情報の表示例を示す図である。図３は、表示情報の表示に係るシーケンス図である。
【００１１】
図１に示すように、表示システム１は、テレビジョン受像機３と、端末装置５０と、を含んでいる。テレビジョン受像機３は、チューナー４と、表示装置１０と、を備えている。
【００１２】
〔表示装置１０の構成〕
表示装置１０は、通信部１１、制御部１２、表示制御部１４、および表示部１５を含んでいる。制御部１２は、表示情報生成部１３を含んでいる。
【００１３】
通信部１１は、無線通信または有線通信によって、インターネット等のネットワークに接続可能に構成されている。また、通信部１１は、接続したネットワークを介して後述する端末装置５０等の周辺機器と通信することができるように構成されている。また、通信部１１は、例えば、Ｗｉ−Ｆｉ（登録商標）やＢｌｕｅｔｏｏｔｈ（登録商標）規格に準拠したモジュールを備え、端末装置５０等の周辺機器と無線通信を行うことができるように構成されていてもよい。
【００１４】
通信部１１は、放送局から送出されるＥＩＴ(Event Information Table)を受信する。ＥＩＴには、番組の名称や、放送日時、放送内容等の番組情報が含まれている。
【００１５】
制御部１２は、表示装置１０の各部を統括的に制御する機能を備えている演算装置である。
【００１６】
表示情報生成部１３は、表示部１５に表示する情報である表示情報を生成する。なお、表示情報生成部１３が、通信部１１を介して受信したＥＩＴに基づいて、ＥＰＧ（Electric Program Guide）を生成する構成であってもよい。ＥＰＧは、各放送局から送出されたＥＩＴに基づいて生成されるセル型のテレビ番組表である。なお、以下の説明において、ＥＩＴを番組情報とも称し、ＥＰＧをテレビ番組表とも称している。
【００１７】
表示制御部１４は、表示部１５を制御して、テレビ番組、コマーシャルメッセージ、テレビ番組表、及び表示情報生成部１３によって生成された表示情報等を表示部１５に表示する。なお、制御部１２が表示制御部の機能を実現する構成であってもよい。
【００１８】
表示部１５は、例えば液晶ディスプレイ、または有機ＥＬディスプレイなどのディスプレイデバイスであり、表示制御部１４の制御に基づいて表示画面に画像を表示する。
【００１９】
〔端末装置５０の要部構成〕
端末装置５０は、通信部５１、位置検出部５２、および記憶部５３を含んでいる。端末装置５０は、スマートフォン、スマートウォッチ、およびタブレットＰＣなどの携帯型の端末である。
【００２０】
通信部５１は、無線通信または有線通信によって、インターネット等のネットワークの接続可能に構成されている。また、通信部５１は、接続したネットワークを介して表示装置１０の通信部１１と通信することができるように構成されている。また、通信部５１は、例えば、Ｗｉ−Ｆｉ（登録商標）やＢｌｕｅｔｏｏｔｈ（登録商標）規格に準拠したモジュールを備え、表示装置１０等の周辺機器と無線通信を行うことができるように構成されていてもよい。
【００２１】
位置検出部５２は、ＧＰＳアンテナ、Ｗｉ−Ｆｉ（登録商標）アンテナ、および無線通信アンテナ（例えばＬＴＥアンテナ）を含み、端末装置５０の現在位置を検出可能に構成されている。
【００２２】
記憶部５３は、位置検出部５２によって検出された端末装置５０の位置に係る情報を時系列に沿って記憶する。記憶部５３は、所定時間間隔毎に自動で端末装置５０の位置に係る情報を記憶してもよい。また、記憶部５３は、端末装置５０がある所定の場所、例えば予めスポット登録されている観光地等の場所に位置していることを位置検出部５２が検出した場合に、当該位置に係る情報を記憶してもよい。また、記憶部５３は、端末装置５０に対してユーザが現在位置を登録する操作を行った場合に、当該位置に係る情報を記憶してもよい。
【００２３】
（記憶部５３に記憶されている情報の例）
記憶部５３は、端末装置５０の位置に係る情報が時系列に沿って記録された、位置情報テーブル（図２参照）を記憶している。
【００２４】
（位置情報テーブル）
位置情報テーブルは、図２に示すように、日時と、経度および緯度とを含んでいる。また、位置情報テーブルは、経度および緯度から特定される、位置の地名及びスポット名等の情報を含んでいてもよい。
【００２５】
日時は、所定の位置に係る情報が記憶された日付と時刻の情報である。
【００２６】
経度および緯度は、位置検出部５２によって検出された端末装置５０の位置を示す情報である。図示は省略するが、経度および緯度には、北緯南緯、および、西経東経を示す情報が含まれている。また、経度および緯度には、測地系の情報が付されていてもよい。なお、図２では、経度および緯度が小数点第１位までで示されているが、ＧＰＳ座標に基づく位置情報は、度数単位で表現した数値を４００００倍（０．００００２５度単位）した値で示されるものであり、本実施形態においても、同様の精度で位置情報が記憶されている。
【００２７】
地名は、位置検出部５２が検出した経度および緯度によって特定される市町村名や地域の名称であり、位置検出部５２によって特定される構成であってもよい。
【００２８】
スポット名は、位置検出部５２が検出した経度および緯度の位置に在る店舗、観光地、駅等の施設の名称であり、位置検出部５２によって特定される構成であってもよい。
【００２９】
〔位置情報に基づいた表示情報を表示する処理〕
以下に、位置情報に基づいた表示情報を表示する処理の流れについて説明する。図３は、端末装置５０に記憶された位置情報に基づいた表示情報が表示部１５に表示されるまでの処理の流れを示したシーケンス図である。
【００３０】
（ステップＳ１０１）
まず、端末装置５０の記憶部５３に、位置検出部５２によって検出された位置情報が時系列に沿って記憶される。
【００３１】
（ステップＳ１０２）
端末装置５０は、記憶部５３に記憶された位置情報を、通信部５１を介して表示装置１０に送信する。記憶部５３に記憶された位置情報は、ユーザによって、位置情報を表示装置１０に送信する操作が端末装置５０に対して行われたことを起因として、表示装置１０に送信されてもよい。また、記憶部５３に記憶された位置情報は、端末装置５０と表示装置１０とが通信可能に接続されたことを起因として、端末装置５０から表示装置１０に送信されてもよい。
【００３２】
（ステップＳ１０３）
表示装置１０は、通信部１１を介して、端末装置５０から送信された位置情報を受信する。
【００３３】
（ステップＳ１０４）
表示装置１０の制御部１２は、表示情報生成部１３の機能により、端末装置５０から取得した端末装置５０の位置情報と、チューナー４または通信部１１を介して取得したテレビ番組の番組情報に含まれる地名に対応する位置と、を照合する。
【００３４】
（ステップＳ１０５）
表示情報生成部１３は、詳細については後述するが、ステップＳ１０４の照合の結果に基づいてテレビ番組の番組情報から抽出した番組に関する情報を用いて、表示情報を生成する。
【００３５】
（ステップＳ１０６）
表示制御部１４は、表示情報生成部１３が生成した表示情報を表示部１５に表示する。
【００３６】
〔表示情報の生成および表示〕
次に、表示情報生成部１３による端末装置５０の位置情報と、テレビ番組の番組情報に含まれる地名に対応する位置と、を照合し、表示情報を生成する処理（ステップＳ１０４およびステップＳ１０５）について説明する。
【００３７】
上述したように、端末装置５０の記憶部５３には、端末装置５０の位置に係る情報が時系列に沿って記憶されている。表示装置１０の制御部１２は、通信部１１を介して端末装置５０から、端末装置５０の位置情報を取得する。また、表示装置１０の制御部１２は、チューナー４または通信部１１の少なくとも何れか一方を介して、ＥＩＴ等の番組に関する情報を取得する。番組に関する情報は、例えば、放送局の公式番組情報であるＳＩ情報であり、番組の名前、番組の開始および終了の時刻、および、番組の内容や出演者などの情報が含まれている。
【００３８】
表示装置１０の制御部１２は、表示情報生成部１３の機能により、番組に関する情報の中に含まれる地名をＧＰＳ座標に変換し、地名に対応する位置を例えば都道府県庁や市町村庁所在地の位置とする。
【００３９】
また、表示装置１０の制御部１２は、表示情報生成部１３の機能により、端末装置５０の位置情報と、テレビ番組の番組情報に含まれる地名に対応する位置とを照合して、表示情報に情報を含む番組を特定する。例えば、表示情報生成部１３は、端末装置５０の位置情報に含まれる位置と、テレビ番組の番組情報に含まれる地名に対応する位置と、が合致した場合に、当該位置に関する番組を、表示情報に情報を含む番組として特定して、当該番組の情報を番組情報から抽出する。
【００４０】
なお、表示情報生成部１３は、端末装置５０の位置情報に含まれるＧＰＳ座標が、テレビ番組の番組情報に含まれる地名に対応する位置のＧＰＳ座標の近隣であれば、端末装置５０の位置情報に含まれる位置と、テレビ番組の番組情報に含まれる地名に対応する位置と、が合致したと判定してもよい。例えば、表示情報生成部１３は、日本を東経北緯に基づいて複数のエリアに分け、エリアに該当する地名に基づいて、エリアと番組とを関連付けて、端末装置５０の位置情報に含まれる位置が、上記エリア内である場合に、端末装置５０の位置情報に含まれる位置と、テレビ番組の番組情報に含まれる地名に対応する位置と、が合致したと判定する構成とすることができる。
【００４１】
また、表示情報生成部１３は、端末装置５０の位置情報に含まれる位置と、テレビ番組の番組情報に含まれる地名に対応する位置とに関連性があれば、当該位置に関する番組を、表示情報に情報を含む番組として特定して、当該番組の情報を番組情報から抽出してもよい。例えば、表示情報生成部１３は、端末装置５０の位置情報に含まれる位置が仙台市の青葉城の位置であり、番組情報に含まれる地名が宮城県、三陸、東北等のように、端末装置５０の位置情報に含まれる位置と関連性がある位置である場合に、当該位置に関する番組を、表示情報に情報を含む番組として特定して、当該番組の情報を番組情報から抽出することができてもよい。
【００４２】
また、表示情報生成部１３は、端末装置５０の位置情報に含まれる位置の経時的な情報を参照して番組情報から抽出する番組の情報を選択することができてもよい。図４（ａ）は、図２に示した位置情報テーブルに記録された端末装置５０の位置情報に含まれる位置を日本地図上に示した図である。例えば、図４（ａ）に示すように、端末装置５０の位置情報に含まれる位置が、名古屋市、山形市、仙台市と経時的に変化している場合には、表示情報生成部１３は、端末装置５０の位置情報に含まれる位置が、北東に移動していると判断する。そして、表示情報生成部１３は、仙台市よりも更に北東に位置する地名が、テレビ番組の番組情報に含まれている番組に関する情報を番組情報から抽出してもよい。
【００４３】
表示情報生成部１３は、端末装置５０の位置情報と、テレビ番組の番組情報に含まれる地名に対応する位置とを照合して、番組情報から抽出した番組の情報を用いて、表示部１５に表示する表示情報を生成する。
【００４４】
図４（ｂ）は、表示情報生成部１３が生成した表示情報を表示部１５に表示した表示例を示す図である。図４（ｂ）に示すように、表示部１５に表示される表示情報は、地図上に番組情報が表示された地図番組表であってもよい。地図番組表には、地図上に、番組情報に含まれる地名に対応する位置を示すフラグと、当該位置に関する番組の番組名、チャンネル、開始と終了の時刻とを含む情報と、が表示されていてもよい。また、地図番組表には、端末装置５０の位置情報に含まれる位置の経時的な情報、例えば移動経路の情報、地図上に表示されていてもよい。
【００４５】
また、表示情報には、端末装置５０のユーザが行ったことがある場所か否かに関する情報が含まれてもよい。表示情報生成部１３は、端末装置５０の位置情報に含まれる位置と、テレビ番組の番組情報に含まれる地名に対応する位置と、が合致した場合に、当該位置は、端末装置５０のユーザが行ったことがある場所であると判断して表示情報に、行ったことがある場所である旨の情報を付してもよい。端末装置５０のユーザが行ったことがある場所か否かに関する情報は、例えば、図５（ａ）に示すように、地図番組表に表示された位置を示すフラグの色の違いによって示されていてもよい。また、端末装置５０のユーザが行ったことがある場所か否かに関する情報は、例えば、図５（ｂ）に示すように、地図番組表に表示された足跡マークのような記号で示されていてもよい。
【００４６】
これらの構成によれば、端末装置５０の経時的な位置情報に基づいて、番組を特定して表示することができる。よって、ユーザの興味や好みに合った、ユーザにとって有益な情報を提供することができる。
【００４７】
〔実施形態２〕
本発明の実施形態２について、図６及び図７を参照して以下に説明する。なお、表示システムの構成は、上述した実施形態１に係る表示システム１の構成と同様であり、その説明を省略する。
【００４８】
実施形態１では、表示情報生成部１３は、端末装置５０から取得した端末装置５０の位置情報と、テレビ番組の番組情報に含まれる地名に対応する位置と、を照合する構成であった。この実施形態２では、放送局から送出されるＥＩＴに番組に関連する位置を経度緯度を含む情報で示した位置情報が含まれており、当該ＥＩＴに含まれている経度緯度を含む位置情報と、端末装置５０から取得した端末装置５０の位置情報と、を照合する構成について説明する。
【００４９】
図６（ａ）は、ＥＩＴのイベントループに挿入された、番組に関する経度緯度を含む位置情報の一例を示す図である。図６（ａ）に示すように、番組に関する経度緯度を含む位置情報は、location_information_descriptorとして、ＥＩＴのイベントループに挿入されていてもよい。
【００５０】
番組に関する経度緯度を含む位置情報は、geodetic_system、north_south_flag、latitude、west_east_flag、longitudeで示される。
【００５１】
図６（ｂ）は、geodetic_system、north_south_flag、latitude、west_east_flag、longitudeの記述形態を示す図である。
【００５２】
geodetic_systemは、経度、緯度情報の測地系を示す情報であり、図６（ｃ）に示した４ビットのフィールドの割り当てにより番組に関連する位置を示している。
【００５３】
north_south_flagは、１ビットのフィールであり、番組に関連する位置の緯度（station_latitude）の北緯または南緯を示している。このフィールドの割り当ては図６（ｄ）に示したように、例えば、０であれば南緯を示し、１であれば北緯を示す態様とすることができる。
【００５４】
latitudeは、２３ビットのフィールドであり、番組に関連する位置の緯度を示している。緯度は、度数単位で表現した数値を４００００倍（０．００００２５度単位、約２．７８ｍ精度）した値を符号なし整数で示している。例えば、緯度が９０度の場合は、０ｘ３６ＥＥ８０となる。位置を示さない場合は、０ｘ７ＦＦＦＦＦを設定する。
【００５５】
west_east_flagは、１ビットのフィールであり、番組に関連する位置の経度（station_longitude)の西経または東経を示している。このフィールドの割り当ては図６（e）に示したように、例えば、０であれば西経を示し、１であれば東経を示す態様とすることができる。なお、west_east_flagは、送信点の経度を示す情報であってもよい。
【００５６】
longitudeは、２３ビットのフィールドであり、番組に関連する位置の経度を示している。経度は、度数単位で表現した数値を４００００倍（０．００００２５度単位、赤道上で約２．７８ｍ精度、緯度３５度上で約２．２８ｍ精度）した値を符号なし整数で示している。例えば、経度が１８０度の場合は、０ｘ６ＤＤＤ００となる。位置を示さない場合は、０ｘ７ＦＦＦＦＦを設定する。
【００５７】
表示情報生成部１３は、例えば日本で放送されるテレビ番組に関連する表示情報を生成する場合、日本を東経北緯に基づいて複数のエリアに分ける。そして、ＥＩＴに含まれている上述の番組に関する位置情報に基づいて、図７（ａ）に示すように、エリアと、エリアに該当する番組と、を紐づける。
【００５８】
また、表示情報生成部１３は、端末装置５０から取得した端末装置５０の位置情報のそれぞれに対応するエリア（図７（ｂ）参照）と、エリアに紐付けられた番組とを照合して、表示情報に情報を含む番組を番組情報から抽出する。
【００５９】
なお、本明細書に記載の発明には、番組に関する経度緯度を含む位置情報を、図６（ａ）に示すlocation_information_descriptorとして、放送データのメタデータであるＥＩＴのイベントループに含ませたうえで、当該放送データを送出する送出装置も含まれる。
【００６０】
〔実施形態３〕
本発明の実施形態２について、図８及び図９を参照して以下に説明する。なお、説明の便宜上、上記実施形態にて説明した部材と同じ機能を有する部材については、同じ符号を付記し、その説明を繰り返さない。
【００６１】
図８は、実施形態２の表示システム１ａの概略構成を示す図である。図８に示すように、端末装置５０ａは、撮影部５４を備えている。
【００６２】
撮影部５４は、静止画像および動画像を撮影する撮像デバイスである。撮影部５４が撮影した画像は、位置検出部５２が検出した位置情報に関連付けて記憶部５３に記憶される。例えば、撮影部５４が撮影する画像がＪＰＥＧ画像であり、端末装置５０は、ＪＰＥＧ画像のＥＸＩＦ情報内のＧＰＳ座標を用いて、位置情報と画像とを関連づけて、記憶部５３に記憶されてもよい。
【００６３】
端末装置５０ａは、時系列に沿って記憶された位置情報を、各位置で撮影された画像とともに表示装置１０に送信してもよい。なお、端末装置５０ａは、緯度経度に基づいて分けられたエリア内で撮影された画像であれば、当該位置で撮影された画像として、位置情報とともに表示装置１０に送信する構成であってもよい。
【００６４】
表示情報生成部１３は、端末装置５０ａから取得した、位置情報に関連付けられた画像を含む表示情報を生成してもよい。例えば、表示情報生成部１３は、端末装置５０ａの位置情報と、テレビ番組の番組情報に含まれる地名に対応する位置とを照合して生成した表示情報に、端末装置５０ａのユーザが行ったことがある場所が含まれる場合に、当該場所の位置に関連付けられた画像を含んでもよい。
【００６５】
なお、複数の端末装置５０ａから取得した画像を表示情報に含めて表示する場合には、表示装置１０に接続されている複数の端末装置５０ａ内に同じ位置に関する位置情報が存在する場合のみ、表示情報に含めることで、ユーザのプライバシーを保護する構成とすることができる。
【００６６】
表示制御部１４は、表示情報生成部１３によって生成された表示情報を、表示部１５に表示する。図９に示すように、表示部１５に表示された地図番組表の態様の表示情報には、端末装置５０ａから取得した画像が、当該画像が撮影された位置に対応付けて表示されてもよい。このように、地図番組表に位置に関連付けられた画像を表示することで、地図番組表に含む情報を拡充することができる。
【００６７】
これらの構成によれば、ユーザが撮影した画像とともに、番組の情報が表示されるため、ユーザが番組と、過去の思い出とをリンクさせやすく、ユーザにとって興味が持ちやすいように情報を表示することができる。
【００６８】
なお、実施形態３では、地図番組表に位置に関連付けられた画像を表示する態様について説明したが、これに限らず、ＥＩＴに基づいて生成されたＥＰＧのセル内に番組のタイトルや内容に含まれる地名に対応する位置に関連付けられた画像を埋め込んで表示してもよい。
【００６９】
〔実施形態４〕
本発明の実施形態３について、以下に説明する。なお、説明の便宜上、上記実施形態にて説明した部材と同じ機能を有する部材については、同じ符号を付記し、その説明を繰り返さない。
【００７０】
図１０は、本実施形態の表示システム１ｂの概略構成を示すブロック図である。
【００７１】
上述した実施形態では、表示装置１０が、端末装置５０の位置情報と、テレビ番組の番組情報に含まれる地名に対応する位置とを照合することによって表示情報を生成する表示情報生成部１３を備える構成であった。この実施形態３では、図１０に示すように、表示システム１ｂは、１又は複数の端末装置５０から、各端末装置５０の位置情報を取得して、１又は複数の端末装置５０の位置情報と、テレビ番組の番組情報に含まれる地名に対応する位置とを照合することによって表示情報を生成する表示情報生成部２２を備えた情報処理装置２０を含んでいる。なお、情報処理装置２０の表示情報生成部２２は、実施形態２で説明したように、１又は複数の端末装置５０の位置情報と、テレビ番組の番組情報に含まれる経度緯度を含む情報から特定される番組に関連する位置と、を照合することによって表示情報を生成してもよい。
【００７２】
情報処理装置２０は、テレビジョン受像機５とインターネット等の通信経路によって接続されるサーバとして実現されてもよい。また、情報処理装置２０は、テレビジョン受像機３と一体に構成されていてもよいし、表示装置１０ｂがその機能を実現する構成であってもよい。
【００７３】
情報処理装置２０は、通信部２１を備え、通信部２１を介して、１又は複数の端末装置５０と通信することができるとともに、表示装置１０ｂと通信することができる。情報処理装置２０は、通信部２１を介して１又は複数の端末装置５０から取得した、各端末装置５０の位置情報と、テレビ番組の番組情報に含まれる地名に対応する位置とを照合することによって表示情報に含む番組の番組名を特定し、当該番組の情報を含む表示情報を生成する。
【００７４】
これらの構成によれば、１又は複数の端末装置５０から取得した、各端末装置５０の位置情報を参照して表示情報に含む番組を特定することができる。よって、例えば、複数のユーザのそれぞれの経時的な情報に基づいた表示情報を生成することができ、複数のユーザのそれぞれの興味や好みに合った、各ユーザにとって有益な情報を提供することができる。
【００７５】
なお、情報処理装置２０の表示情報生成部２２は、複数の端末装置５０から取得した、各端末装置５０の位置情報を参照して、同位置への訪問歴のある端末数をカウントし、同位置への訪問歴のある端末が複数ある場合に、表示情報に当該位置に関する番組情報を含んでもよい。この構成によれば、家族旅行や友達との旅行の履歴に基づいた表示情報を提供することができるとともに、個人的なプライベート情報に基づいた表示情報を提供することが無い。
【００７６】
〔実施形態５〕
本発明の実施形態４について、以下に説明する。なお、説明の便宜上、上記実施形態にて説明した部材と同じ機能を有する部材については、同じ符号を付記し、その説明を繰り返さない。
【００７７】
上述の実施形態１〜３は、経時的な情報として、時系列に沿って記憶された端末装置５０の位置情報に基づいて表示情報を生成する構成であって。この実施形態４では、他の経時的な情報に基づいて表示情報を生成する例について説明する。
【００７８】
経時的な情報として、近年、庫内に保管された食品の種類、名前、保管期間、および賞味期限などの情報を記憶する冷蔵庫または冷蔵システムが知られている。本実施形態は、庫内に保管された食品に関する経時的な情報に基づいて、ユーザにとって有益な情報を提供することを目的とする。
【００７９】
図１１は、本実施形態に係る表示システム１ｃの概略構成を示すブロック図である。図１１に示すように、表示装置１０は、通信部１１を介して、冷蔵庫８０と通信可能に構成されている。なお、本実施形態では、冷蔵庫８０と、表示装置１０とが直接通信可能な場合を例に説明するが、これに限らず、冷蔵庫８０の庫内に保管された食品の種類、名前、保管期間、および賞味期限などの情報を記憶するサーバ、またはスマートフォンやタブレット等の端末装置と、表示装置１０とが通信可能に接続されている構成であってもよい。
【００８０】
冷蔵庫８０は、通信部８１、鮮度検出部８２、および記憶部８３を備えている。
【００８１】
通信部８１は、無線通信または有線通信によって、インターネット等のネットワークの接続可能に構成されている。また、通信部８１は、接続したネットワークを介して表示装置１０の通信部１１と通信することができるように構成されている。また、通信部８１は、例えば、Ｗｉ−Ｆｉ（登録商標）やＢｌｕｅｔｏｏｔｈ（登録商標）規格に準拠したモジュールを備え、表示装置１０等の周辺機器と無線通信を行うことができるように構成されていてもよい。
【００８２】
記憶部８３には、冷蔵庫８０の庫内に保管されている食品の種類、名前、保管期間、および賞味期限や消費期限などの情報が記憶されている。記憶部８３に記憶されている食品に関する情報は、ユーザが当該食品を冷蔵庫８０に最初に保管するときに登録する構成であってもよい。また、図示は省略するが、冷蔵庫８０にはバーコードスキャナーが備えられており、食品を冷蔵庫８０に最初に保管するときに、ユーザが食品に付されているバーコードを、冷蔵庫８０のバーコードスキャナーで読み込むことで、当該食品に関する情報が記憶部８３に記憶される構成であってもよい。
【００８３】
鮮度検出部８２は、記憶部８３に記憶された食品の情報を参照して、食品の鮮度を検出し、ユーザに消費を促す必要のある食品を特定する。例えば、鮮度検出部８２は、記憶部８３に記憶された食品の消費期限または賞味期限の少なくとも何れか一方に基づいて、食品の鮮度を検出してもよい。また、鮮度検出部８２は、記憶部８３に記憶された食品の種類または名前と、保管期間から、食品の鮮度を検出し、ユーザに消費を促す必要のある食品を特定してもよい。
【００８４】
鮮度検出部８２は、ユーザによる検出指示に応じて、食品の鮮度検出を行う構成であってもよいし、所定期間毎、例えば１日に１〜２回等に食品の鮮度検出を行う構成であってもよい。
【００８５】
鮮度検出部８２によって、ユーザに消費を促す必要のある食品が特定されると、冷蔵庫８０は、当該食品の鮮度情報を通信部８１を介して表示装置１０に送信する。表示装置１０は、表示情報生成部１３の機能により、冷蔵庫８０から取得した食品の鮮度情報に基づいた表示情報を生成して、表示部１５に表示する。
【００８６】
〔食品の鮮度情報に基づいた表示情報を表示する処理〕
以下に、食品の鮮度情報に基づいた表示情報を表示する処理の流れについて説明する。図１２は、冷蔵庫８０から取得した食品の鮮度情報に基づいた表示情報が表示部１５に表示されるまでの処理の流れを示したシーケンス図である。
【００８７】
（ステップＳ２０１）
まず、冷蔵庫８０の記憶部８３に、庫内に保管されている食品の情報が記憶される。
【００８８】
（ステップＳ２０２）
冷蔵庫８０の鮮度検出部８２は、記憶部８３に記憶された食品の情報を参照して、各食品の鮮度を検出し、ユーザに消費を促す必要のある食品を特定する。
【００８９】
（ステップＳ２０３）
冷蔵庫８０は、ユーザに消費を促す必要があると特定された食品の鮮度情報を表示装置１０に送信する。
【００９０】
（ステップＳ２０４）
表示装置１０は、通信部１１を介して、冷蔵庫８０から送信された食品の鮮度情報を受信する。
【００９１】
（ステップＳ２０５）
表示装置１０の制御部１２は、表示情報生成部１３の機能により、冷蔵庫８０から取得した食品の鮮度情報と、チューナー４または通信部１１を介して取得したテレビ番組の番組情報に含まれる食品および鮮度に対応する内容と、を照合する。
【００９２】
（ステップＳ２０６）
表示情報生成部１３は、詳細については後述するが、ステップＳ２０５の照合の結果に基づいてテレビ番組の番組情報から抽出した番組に関する情報を用いて、表示情報を生成する。
【００９３】
（ステップＳ２０７）
表示制御部１４は、表示情報生成部１３が生成した表示情報を表示部１５に表示する。
【００９４】
〔表示情報の生成および表示〕
次に、表示情報生成部１３による冷蔵庫８０の食品の鮮度情報と、テレビ番組の番組情報に含まれる食品および鮮度に対応する内容と、を照合し、表示情報を生成する処理（ステップＳ２０５およびステップＳ２０６）について説明する。
【００９５】
上述したように、冷蔵庫８０の鮮度検出部８２は、記憶部８３に記憶された冷蔵庫８０の庫内に保管された食品の種類、名前、保管期間、および賞味期限や消費期限などの情報を参照して、各食品の鮮度を検出し、ユーザに消費を促す必要のある食品を特定する。冷蔵庫８０から表示装置１０に送信される食品の鮮度情報には、食品の種類、名前、保管期間、賞味期限または消費期限までの日数等の情報が含まれる。
【００９６】
表示装置１０の制御部１２は、表示情報生成部１３の機能により、冷蔵庫８０から取得した食品の鮮度情報と、テレビ番組表に含まれる食品および鮮度に対応する内容と、を照合して、表示情報に情報を含む番組を特定する。
【００９７】
例えば、図１３（ａ）に示すように、冷蔵庫８０の庫内に、保管期間が、当該食品の種類または名前によって特定された食品の保管期限よりも長くなった小松菜がある場合に、当該小松菜がしぼんでいる可能性がある旨が鮮度検出部８２によって特定される。そして、当該小松菜の鮮度情報が表示装置１０に送信される。小松菜の鮮度情報には、例えば、当該食品の名前である「小松菜」、種類である「葉物」、保管期間等の情報が含まれている。
【００９８】
表示装置１０の制御部１２は、表示情報生成部１３の機能により、小松菜の鮮度情報に基づいて、テレビ番組表から、図１３（ｂ）に示すように、番組名が「葉物野菜の復活法！」である番組を特定して、当該番組の情報を表示情報に含める。
【００９９】
表示制御部１４は、表示情報生成部１３が生成した表示情報を表示部１５に表示する。表示部１５に表示される表示情報は、対応する食材を示すアイコン上に番組情報が表示された食材番組表であってもよい。食材番組表には、食材を示すアイコン上に、当該食材に関する番組の番組名、チャンネル、開始と終了の時刻とを含む情報と、が表示されていてもよい。
【０１００】
このように、本実施形態によれば、対象端末である冷蔵庫の庫内食品の、経時的な情報である鮮度情報に基づいて生成した有益な情報を表示して提供することができる。
【０１０１】
〔ソフトウェアによる実現例〕
表示装置１０の制御ブロック（特に制御部１２、表示情報生成部１３、および表示制御部１４）は、集積回路（ＩＣチップ）等に形成された論理回路（ハードウェア）によって実現してもよいし、ソフトウェアによって実現してもよい。
【０１０２】
後者の場合、表示装置１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Ｃｅｎｔｒａｌ  Ｐｒｏｃｅｓｓｉｎｇ  Ｕｎｉｔ）を用いることができる。上記記録媒体としては、「一時的でない有形の媒体」、例えば、ＲＯＭ（Ｒｅａｄ  Ｏｎｌｙ  Ｍｅｍｏｒｙ）等の他、テープ、ディスク、カード、半導体メモリ、プログラマブルな論理回路などを用いることができる。また、上記プログラムを展開するＲＡＭ（Ｒａｎｄｏｍ  Ａｃｃｅｓｓ  Ｍｅｍｏｒｙ）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０３】
〔まとめ〕
本発明の態様１に係る表示装置１０は、端末装置５０と通信する通信部１１と、通信部１１を介して端末装置５０から取得した端末装置５０の位置情報と、テレビ番組表に含まれる地名に対応する位置とを照合することによって表示情報を生成する表示情報生成部１３と、表示情報生成部１３が生成した表示情報を表示する表示部１５とを備えている。
【０１０４】
上記の構成によれば、端末装置５０の位置情報に基づいた番組の情報を含む表示情報を表示部１５に表示してユーザに提供することができる。これにより、ユーザの訪れた場所の情報や、当該場所に関連のある情報を提供することができ、ユーザの経時的な情報に基づいて、有益な情報を提供することができる。
【０１０５】
本発明の態様２に係る表示装置１０は、上記態様１において、表示情報生成部１３が生成する表示情報には、端末装置５０の位置情報によって特定された番組名が含まれる構成であってもよい。
【０１０６】
上記の構成によれば、ユーザの訪れた場所に関連のある番組の番組名を表示部１５に表示してユーザに提供することができる。
【０１０７】
本発明の態様３に係る表示装置１０は、上記態様２において、表示情報生成部１３が生成する表示情報には、端末装置５０のユーザが行ったことがある場所か否かに関する情報が含まれる構成であってもよい。
【０１０８】
上記の構成によれば、ユーザは、表示情報の情報が自分が行ったことがある場所か否かを容易に知ることができる。
【０１０９】
本発明の態様４に係る表示装置１０は、上記態様１から３において、上記番組情報に含まれる番組に関連する位置は、地名に対応する位置である構成であってもよい。
【０１１０】
上記の構成によれば、番組情報に含まれる地名と、端末装置５０の位置情報と、を照合して、ユーザの訪れた場所に関連のある番組を表示情報に含めることができる。
【０１１１】
本発明の態様５に係る表示装置１０は、上記態様１から３において、上記番組情報に含まれる番組に関連する位置は、経度及び緯度に対応する位置である構成であってもよい。
【０１１２】
上記の構成によれば、番組情報に含まれる、経度及び緯度に関する情報に対応する位置と、端末装置５０の位置情報と、を照合して、ユーザの訪れた場所に関連のある番組を表示情報に含めることができる。
【０１１３】
本発明の各態様に係る表示装置１０は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１５】
１、１ａ、１ｂ  表示システム
１ｃ、１０、１０ｂ  表示装置
３、５  テレビジョン受像機
４  チューナー
１１、２１、５１、８１  通信部
１２  制御部
１４  表示制御部
１３、２２  表示情報生成部
１５  表示部
５０、５０ａ  端末装置
５２  位置検出部
５３、８３  記憶部
【図１】
2019054453.tif 000003
【図２】
2019054453.tif 000004
【図３】
2019054453.tif 000005
【図４】
2019054453.tif 000006
【図５】
2019054453.tif 000007
【図６】
2019054453.tif 000008
【図７】
2019054453.tif 000009
【図８】
2019054453.tif 000010
【図９】
2019054453.tif 000011
【図１０】
2019054453.tif 000012
【図１１】
2019054453.tif 000013
【図１２】
2019054453.tif 000014
【図１３】
2019054453.tif 000015